(57)【要約】  本発明は、全面ガラスドア（２）のための、上側の金具（３）を備えた金具であって、上側の金具（３）が主として、ガラス扉のためのガラス収容部（２１）および／またはクランプ装置を備えた金具本体（４）と、欄間または枠に設けられた対応軸受内に係入させるための、盲孔（５３）内で摺動可能な軸受ジャーナル（７）とを有している形式のものに関する。ガラスドアの組み付け後、侵入に強い、すなわち防犯性の高い金具を提供するために、金具（３）の軸受ジャーナル（７）がロックされており、ガラス扉が全面ガラスドアの閉鎖時に、持ち上げによる外し防止手段を有しているようにした。
2007536445.tif 000002
【特許請求の範囲】
【請求項１】
全面ガラスドア（２）のための、上側の金具（３）を備えた金具であって、上側の金具（３）が主として、ガラス扉のためのガラス収容部（２１）および／またはクランプ装置を備えた金具本体（４）と、欄間または枠に設けられた対応軸受内に係入させるための、盲孔（５３）内で摺動可能な軸受ジャーナル（７）とを有している形式のものにおいて、金具（３）の軸受ジャーナル（７）がロックされており、ガラス扉が全面ガラスドアの閉鎖時に、持ち上げによる外し防止手段を有していることを特徴とする、全面ガラスドアのための金具。
【請求項２】
軸受ジャーナル（７）が、少なくとも１つの保持ねじ（５０）により、金具本体（４）および／またはクランプ装置に固定されている、請求項１記載の金具。
【請求項３】
保持ねじ（５０）が軸受ジャーナル（７）の中心軸線に直交して軸受ジャーナル（７）内に進入する、請求項１または２記載の金具。
【請求項４】
保持ねじ（５０）が、金具本体（４）および／またはクランプ装置内に設けられた長穴（４７）を通して、軸受ジャーナル（７）内に存在するねじ山付孔（５１）内に進入し、軸受ジャーナル（７）を金具本体（４）および／またはクランプ装置に摩擦力結合式かつ形状結合式に結合する、請求項１から３までのいずれか１項記載の金具。
【請求項５】
ねじ山付孔（５１）が盲孔である、請求項４記載の金具。
【請求項６】
ねじ山付孔（５１）が軸受ジャーナル（７）を貫通する、請求項４記載の金具。
【請求項７】
軸受ジャーナル（７）の下側にロックねじ（４８）が存在しており、該ロックねじ（４８）が軸受ジャーナル（７）に直交して延びており、少なくとも盲孔（５３）内に進入するもしくは盲孔（５３）を貫通する、請求項１から６までのいずれか１項記載の金具。
【請求項８】
ロックねじ（４８）の頭が、金具本体（４）および／またはクランプ装置の、保持ねじ（５０）に対向して位置する側に配置されている、請求項１から７までのいずれか１項記載の金具。
【請求項９】
金具本体が、持ち上げによる外し防止手段と共に、単数または複数のカバーキャップ（２６）により覆い被されている、請求項１から８までのいずれか１項記載の金具。
【発明の詳細な説明】
【技術分野】
【０００１】
本発明は、特に全面ガラスドア（Ｇａｎｚｇｌａｓｔｕｅｒ）のための金具に関する。全面ガラスドアのための金具は、ガラス扉のためのクランプ装置を備えた金具本体を有する上側の金具と、欄間に設けられた対応軸受内に係入させるための軸受ジャーナルとを有している。
【０００２】
この種の金具は十分に知られているが、一般に、ガラスドアのガラス扉の上方の欄間に支承されている上側の対応軸受の金具は、ガラスドアの高さ方向軸線に対して横方向で方向付けられている。ドアパネルを枠構造に回転可能に支承するためのこの種の金具は、ドイツ連邦共和国実用新案第２９９２４３１９号明細書に見て取れる。ここではドアパネルの上側および下側にその都度１つの金具が配置されている。この金具は、枠構造に設けられた相補的な対応金具と協働する。この金具は、軸受軸線がドアパネル平面内を延びており、金具がドアパネルの相補的な切欠き内に固定されているという特徴を有している。同時に、金具は長手方向延在長さの方向で中間室により、対向して位置する当接面の形成の下、少なくとも部分的に間隔を置いた金具部分に分割されている。ガラス板は、片側から金具内に係入するねじエレメントにより固定される。上側の金具は調節不能な軸受ジャーナルを有している。
【０００３】
ドアの長手方向（高さ方向軸線）で摺動可能な軸受ジャーナルを有する上側の軸受エレメントは、ドイツ連邦共和国実用新案第８９１０５６９号明細書に見て取れる。この軸受ジャーナルは、軸受ジャーナルに直交して配置されたねじにより保持され、この軸受ねじの緩解により高さを調節されることができる。このために金具部分には長穴が存在している。軸受ジャーナルはその際盲孔内に進入する。その結果、ドアの装着時、軸受ジャーナルは盲孔内に隠され、ドアの装着後、軸受ジャーナルは、直交して存在するねじに基づいて、軸受から押し出されて、欄間に存在する対応軸受内に進入する。そのような構造により、ガラスドアの組み付けは簡単化される。
【０００４】
全面ガラス扉のための、金具下側部分が相応のキャップにより覆われる金具は、ドイツ連邦共和国実用新案第２９８１３２１９号明細書に見て取れる。
【０００５】
本発明の課題は、ガラスドアの組み付け後、侵入に強い、すなわち防犯性の高い金具を提供することである。
【０００６】
上記課題は、請求項１の特徴部に記載した特徴により解決される。請求項１の対象の有利な構成は従属請求項から得られる。
【０００７】
請求項１に記載した金具アッセンブリにより、上側の金具に、持ち上げによる外し防止手段を設けることが達成される。持ち上げによる外し防止手段は外側からは目立たないようになっている。それというのも、この持ち上げによる外し防止手段は、カバーキャップにより覆われた金具本体もしくはクランプ装置の下側に配置されているからである。
【０００８】
有利な構成では、軸受ジャーナルが、少なくとも１つの固定ねじもしくは保持ねじにより、金具本体および／または全面ガラス扉のためのクランプ装置内にまたはこれらに接して固定されている。その際、保持ねじは軸受ジャーナルの中心軸線に直交して軸受ジャーナル内に進入するもしくは軸受ジャーナルを貫通する。保持ねじはその際、軸受ジャーナルを高さ方向軸線の方向で摺動可能に構成するために、金具本体および／またはクランプ装置内に設けられた長穴内に挿入される。保持ねじのねじ山はその際軸受ジャーナル内のねじ山付孔内に進入する。軸受ジャーナルの走出時に保持ねじを締めることにより、保持ねじは摩擦力結合（ｋｒａｆｔｓｃｈｌｕｅｓｓｉｇ：摩擦力による束縛）式かつ形状結合（ｆｏｒｍｓｃｈｌｕｅｓｓｉｇ：形状による束縛）式に金具本体および／またはクランプ装置に結合される。
【０００９】
軸受ジャーナルが盲孔内に存在することにより、走出した軸受ジャーナルの下側には、別のねじエレメントを挿入することが可能である。この別のねじエレメントはやはり軸受ジャーナルの中心軸線に直交して金具本体および／またはクランプ装置を貫通する。ロックねじの配置、すなわち保持ねじに対して１８０°ずらされた配置により、組み付けられた全面ガラス扉をドアの閉鎖時に取り外すことは不可能である。このことは、全面ガラスドアの一方の側からはロックねじだけが、対向して位置する側からは保持ねじだけが回されるもしくは緩められるようになっている場合にのみ達成される。このことはただし、金具および／またはクランプ装置がドアパネルの両側から接近可能でなければならないことを意味する。
【００１０】
もしロックねじだけが、全面ガラスドアの片側でのカバーの取り除き後に取り除かれても、その構造に基づいて、軸受ジャーナルが沈められることはできない。それというのも、保持ねじが軸受ジャーナルをその位置に、ロックねじが取り外されているときに保持するからである。このことは、保持ねじがロックねじに対して１８０°ずらされており、この事例では室内から接近可能であることにより得られる。全面ガラスドアの開放後に初めて、保持ねじはやはり緩解されることができ、それにより軸受ジャーナルは金具本体および／またはクランプ装置内に進入することができる。このことは、ロックねじが完全に取り除かれた場合にのみ達成される。ロックねじの取り除き後、軸受ジャーナルが進入する盲孔の下側の部分は解放される。
【００１１】
別の事例では、一人の人間が保持ねじだけを緩解しても、軸受ジャーナルが、対向して位置する側に螺入されたロックねじに基づいて、下方に向かって盲孔内に進入することはできない。
【００１２】
軸受ジャーナルのロックねじおよび保持ねじのそのような配置により、軸受ジャーナルの、簡単な、それにもかかわらず有効な防止手段が提供されていることは明らかである。ガラスドアの装着時の調節可能性はロックねじの手段により阻害されない。その際、金具が構造的にどのように構成されているかは重要でない。
【００１３】
本発明の別の細目、特徴ならびに利点は、図面を参照しながらの有利な実施例の以下の説明から得られる。
図１：説明される持ち上げによる外し防止手段を備えた上側の金具を示す図である。
図２：軸受ジャーナルが走入した、図１に示した上側の金具の状態を示す図である。
図３：保持ねじが取り除かれた、図１に示した上側の金具を示す図である。
【００１４】
図１には、ガラス扉を備えた全面ガラスドアのために使用される上側の金具が示されている。本発明では、種々異なる形で構成される金具の上側の領域だけが問題となっており、ここでは持ち上げによる外し防止について関与するにすぎないため、本発明にとって重要でないその他のすべての部分は省略されている。
【００１５】
上側の金具３は主として金具本体４から成っている。金具本体４は全面ガラスドアのガラス扉のためのガラス収容部２１を有している。金具本体４の上側の領域には盲孔５３が存在する。盲孔５３内には、欄間またはこれに類するものに設けられた上側の軸受の、摺動可能に形成された軸受ジャーナル７が進入する。金具本体４は側方でクランプライナ２５（クランププレート）により制限される。クランプライナ２５自体はカバーキャップ２６により被覆されている。図２および図３に示されているように、カバーキャップ２６を取り除くと、上側の金具３内で、２つのねじエレメント、すなわち１つの保持ねじ５０と１つのロックねじ４８とが接近可能である。保持ねじ５０の頭は、軸方向で方向付けられた長穴内に埋没されており、保持ねじ５０のねじ山は、軸受ジャーナル７内に存在する雌ねじ山５１内に進入する。軸受ジャーナル７の走出時（図１参照）、保持ねじ５０は締められる。その結果、軸受ジャーナル７と上側の金具３との間で、摩擦力結合式かつ形状結合式の結合が生じる。
【００１６】
盲孔５３内に進入する軸受ジャーナル７の端部の直下には、金具の長手方向軸線に直交して、ロックねじ４８が存在する。ロックねじ４８はその際盲孔５３を貫通する。ロックねじ４８の長さは金具本体もしくはクランプライナの厚さに合わせて調整されている。ロックねじ４８はただし保持ねじ５０に対して１８０°ずらされて配置されている。このことは、ドア扉の閉鎖時、例えばロックねじ４８が室外に位置し、保持ねじ５０が室内に存在することを意味する。それにより、ドアが閉じられているとき、同時に両方のねじ、すなわちロックねじ４８と保持ねじ５０とを緩めて、軸受ジャーナル７を盲孔５３内に沈ませて、引き続いてドア扉をその使用位置から取り除くことは不可能である。
【００１７】
図２では、クランプライナ２５の雌ねじ山５５内に螺入されていたロックねじ４８が取り除かれている。ロックねじ４８を前もって取り除いた場合にのみ、保持ねじ５０の緩解が軸受ジャーナル７の沈下を可能にすることは明らかである。このことは図２から見て取れる。
【００１８】
保持ねじ５０が軸受ジャーナル７から取り除かれ、同時にロックねじ４８がねじ山５５内に挿入されて存在する状況は図３に示されている。
【００１９】
図１〜図３の実施例から明らかなように、ドイツ連邦共和国実用新案第８９１０５６９号明細書に記載された背景技術に対して、保持ねじ５０が取り除かれてもなお、機能を果たし得るドアが提供されている。それというのも、ロックねじ４８に基づいて、軸受ジャーナル７が上側の軸受から引き抜かれないからである。ロックねじ４８が保持ねじ５０に対して、上側の金具３を上から見て１８０°ずらされていることにより、同時に全面ガラスドア全体の、持ち上げによる外し防止手段も存在する。
【図面の簡単な説明】
【００２０】
【図１】説明される持ち上げによる外し防止手段を備えた上側の金具を示す図である。
【図２】軸受ジャーナルが走入した、図１に示した上側の金具の状態を示す図である。
【図３】保持ねじが取り除かれた、図１に示した上側の金具を示す図である。
【符号の説明】
【００２１】
３  上側の金具、  ４  金具本体、  ７  軸受ジャーナル、  ２１  ガラス収容部、  ２５  クランプライナ（クランププレート）、  ２６  カバーキャップ、  ４７  長穴、  ４８  ロックねじ、  ５０  保持ねじ、  ５１  雌ねじ山、  ５３  盲孔、  ５５  ねじ山
【図１】
2007536445.tif 000003
【図２】
2007536445.tif 000004
【図３】
2007536445.tif 000005
【国際調査報告】
2007536445.tif 000006
2007536445.tif 000007
2007536445.tif 000008
2007536445.tif 000009